(57)【要約】【課題】生理機構に基づいた揺動が可能であり且つ後方への揺動を抑制し、更に膝下部を広げることなく正座可能として座り心地を向上することができる揺動椅子を提供する。【解決手段】本揺動椅子１は、座部２と、該座部を下方から揺動可能に支持する脚部３と、を有し、脚部は、幅狭で前後方向に伸びた形状で座部の下側中央部に設けられ、脚部の底面７は、前部に形成されると共に左右方向に揺動可能で且つ前後方向に揺動可能な凸曲面部８と、後部に形成されると共に左右方向に揺動可能で且つ前後方向への曲率は上記凸曲面部より小さい小曲率部９と、を備え、着座者の正座時には、座部の下方且つ脚部の左右両側に着座者の膝下部を収容する。【選択図】図１
0003147198.tif 000002
【実用新案登録請求の範囲】
【請求項１】
座部と、
上記座部を下方から揺動可能に支持する脚部と、を有し、
上記脚部は、幅狭で前後方向に伸びた形状で上記座部の下側中央部に設けられ、
上記脚部の底面は、前部に形成されると共に左右方向に揺動可能で且つ前後方向に揺動可能な凸曲面部と、後部に形成されると共に左右方向に揺動可能で且つ前後方向への曲率は上記凸曲面部より小さい小曲率部と、を備え、
着座者の正座時には、上記座部の下方且つ上記脚部の左右両側に上記着座者の膝下部を収容することを特徴とする揺動椅子。
【請求項２】
上記小曲率部は、前後方向に対して直線状である請求項１記載の揺動椅子。
【請求項３】
上記凸曲面部は、左右方向への曲率が前後方向への曲率と比較して大きい請求項１又は２に記載の揺動椅子。
【請求項４】
上記底面の周縁は丸く角取りされている請求項１乃至３のいずれか１項に記載の揺動椅子。
【請求項５】
上記座部及び上記脚部の間には高さ調整手段が介在される請求項１乃至４のいずれか１項に記載の揺動椅子。
【請求項６】
上記高さ調整手段は、上記座部の裏面及び上記脚部の上面に形成された深さの異なる複数の凹部と、上記座部の凹部及び上記脚部の凹部に挿入されて上記座部及び上記脚部を連結する支持棒と、を備え、
上記支持棒を挿入する凹部を変更することにより上記座部の高さを調整する請求項５記載の揺動椅子。
【請求項７】
上記支持棒は２本である請求項６記載の揺動椅子。
【請求項８】
上記支持棒及び上記凹部の断面形状は、円弧が前方または後方を向いた扇形である請求項６又は７に記載の揺動椅子。
【請求項９】
上記支持棒及び上記凹部の断面形状は円形である請求項６又は７に記載の揺動椅子。
【請求項１０】
上記座部及び上記脚部は着脱可能であると共に、上記高さ調整手段は、複数の高さを異にした上記脚部を交換することによりなる請求項５記載の揺動椅子。
【請求項１１】
上記高さ調整手段は、上記座部に一体形成された座部側摺動部と、上記脚部に一体形成されると共に上記座部側摺動部に対して摺動可能な脚部側摺動部と、これら座部側摺動部及び脚部側摺動部を互いに固定する締結部と、からなる請求項５記載の揺動椅子。
【請求項１２】
上記締結部は、上記座部側摺動部及び上記脚部側摺動部に形成された複数の透孔と、上記座部側摺動部の上記透孔及び上記脚部側摺動部の上記透孔を貫通して固定する貫通部材と、からなる請求項１１記載の揺動椅子。
【請求項１３】
上記締結部は、上記座部側摺動部及び上記脚部側摺動部の一方に形成された異なる高さの底部を有する複数の溝と、上記座部側摺動部及び上記脚部側摺動部の他方に形成された上記溝に係合可能な異なる高さの複数の係合部と、からなる請求項１１記載の揺動椅子。
【請求項１４】
上記座部は折り畳み可能である請求項１乃至１３のいずれか１項に記載の揺動椅子。
【請求項１５】
上記脚部の直下に硬質の当て板を備える請求項１乃至１４のいずれか１項に記載の揺動椅子。
【考案の詳細な説明】
【技術分野】
【０００１】
本考案は、使用者の着座中に揺動可能な椅子に関し、更に詳しくは、例えば、正座や胡坐等で着座する際に、生理機構に基づいた揺動が可能な揺動椅子に関する。
【背景技術】
【０００２】
従来より、正座時の下肢の負担を減らすために座部の下方に膝から下の部位（以下、「膝下部」と呼ぶ）を収容する正座椅子が普及している。この種の正座椅子１００としては、図  に示すように、座部１０１の下側に円柱形状の太い脚部１０２を備えたものが知られている（例えば、特許文献１参照）。この正座椅子１００では、着座者は左右の膝下部により脚部１０２を挟むようにして正座する。また、脚部１０２が円柱形状であるので着座者は前後左右に揺動可能になる。
【０００３】
しかし、上述した正座椅子１００では、脚部１０２が太いため着座者は膝下部を広げて正座しなければならず、膝関節が外転する等で座り心地が悪い。また、前後左右に同じような揺れ方で揺動可能であり、更に、後方に揺動した際には姿勢が不安定になってしまい座り心地が悪い。
【０００４】
【特許文献１】特開２００２−１４２９１７号公報
【考案の開示】
【考案が解決しようとする課題】
【０００５】
本考案は、上記現状に鑑みてなされたものであり、生理機構に基づいた揺動が可能であり且つ後方への揺動は抑制され、更に膝下部を広げることなく正座可能として座り心地を向上することができる揺動椅子を提供することを目的とする。
【課題を解決するための手段】
【０００６】
本考案は、以下の通りである。
１．座部と、
上記座部を下方から揺動可能に支持する脚部と、を有し、
上記脚部は、幅狭で前後方向に伸びた形状で上記座部の下側中央部に設けられ、
上記脚部の底面は、前部に形成されると共に左右方向に揺動可能で且つ前後方向に揺動可能な凸曲面部と、後部に形成されると共に左右方向に揺動可能で且つ前後方向への曲率は上記凸曲面部より小さい小曲率部と、を備え、
着座者の正座時には、上記座部の下方且つ上記脚部の左右両側に上記着座者の膝下部を収容することを特徴とする揺動椅子。
２．上記小曲率部は、前後方向に対して直線状である上記１．記載の揺動椅子。
３．上記凸曲面部は、左右方向への曲率が前後方向への曲率と比較して大きい上記１．又は２．に記載の揺動椅子。
４．上記底面の周縁は丸く角取りされている上記１．乃至３．のいずれか１項に記載の揺動椅子。
５．上記座部及び上記脚部の間には高さ調整手段が介在される上記１．乃至４．のいずれか１項に記載の揺動椅子。
６．上記高さ調整手段は、上記座部の裏面及び上記脚部の上面に形成された深さの異なる複数の凹部と、上記座部の凹部及び上記脚部の凹部に挿入されて上記座部及び上記脚部を連結する支持棒と、を備え、
上記支持棒を挿入する凹部を変更することにより上記座部の高さを調整する上記５．記載の揺動椅子。
７．上記支持棒は２本である上記６．記載の揺動椅子。
８．上記支持棒及び上記凹部の断面形状は、円弧が前方または後方を向いた扇形である上記６．又は７．に記載の揺動椅子。
９．上記支持棒及び上記凹部の断面形状は円形である上記６．又は７．に記載の揺動椅子。
１０．上記座部及び上記脚部は着脱可能であると共に、上記高さ調整手段は、複数の高さを異にした上記脚部を交換することによりなる上記５．記載の揺動椅子。
１１．上記高さ調整手段は、上記座部に一体形成された座部側摺動部と、上記脚部に一体形成されると共に上記座部側摺動部に対して摺動可能な脚部側摺動部と、これら座部側摺動部及び脚部側摺動部を互いに固定する締結部と、からなる上記５．記載の揺動椅子。
１２．上記締結部は、上記座部側摺動部及び上記脚部側摺動部に形成された複数の透孔と、上記座部側摺動部の上記透孔及び上記脚部側摺動部の上記透孔を貫通して固定する貫通部材と、からなる上記１１．記載の揺動椅子。
１３．上記締結部は、上記座部側摺動部及び上記脚部側摺動部の一方に形成された異なる高さの底部を有する複数の溝と、上記座部側摺動部及び上記脚部側摺動部の他方に形成された上記溝に係合可能な異なる高さの複数の係合部と、からなる上記１１．記載の揺動椅子。
１４．上記座部は折り畳み可能である上記１．乃至１３．のいずれか１項に記載の揺動椅子。
１５．上記脚部の直下に硬質の当て板を備える上記１．乃至１４．のいずれか１項に記載の揺動椅子。
【考案の効果】
【０００７】
本考案の揺動椅子によると、脚部の底面は後部に小曲率部を備えているので、後方への揺動を抑えることができる。このため、従来のように着座者が後方に揺動してしまうことを抑制できるので、安定した着座が確保されて座り心地を向上することができる。また、例えば、着座者に対して子供が前方から駆け寄って来た時に着座者が後方に過度に揺動して足首を傷めたり転倒してしまうことを防止できる。
また、左右方向と前方へは常に揺動可能であるので、着座者はバランスを取るために自然に腰部を動かすようになる。即ち、着座中に揺動椅子が傾斜しそうになると、着座者は、生理機構の作用、即ち、本来ヒトが備えている骨盤構造と平衡感覚の働きにより自重が掛かっていない側の坐骨が、反転性により座部を押し返すような動きを取り、その方向に自重が掛かって傾斜状態から直立状態に戻そうとする。このように、着座者は椅子の脚部と自己の両足とで３点支持しつつ生理機構に基づいて常に小刻みに動きながらバランスを取るようになるので、腰部や脚部の疲れを軽減して快適に座ることができるようになる。特に、左右方向の小刻みな動きは腰部を楽にし、前後方向の揺れ幅の大きな動きは脚部を楽にする。しかも、座部が前後左右に揺動することにより、着座者の足の組み換えを容易に行うことができる。
更に、脚部は幅狭で前後方向に伸びた形状で座部の下側中央部に設けられるので、着座者は膝下部を脚部の左右両側に収容して着座することができ、このため膝下部の間隔を狭くして着座することができる。これにより、従来のように太い脚部によって膝下部を広げて着座する必要がなく、足に無理が掛からず座り心地を向上させることができる。
また、小曲率部が前後方向に対して直線状である場合は、左右方向への揺動を確保しつつ後方への揺動のみを効果的に抑えることができる。
【０００８】
更に、凸曲面部は、左右方向への曲率が前後方向への曲率と比較して大きい場合は、左右方向への揺動角度を大きいものとすることができる。このため、着座時の左右方向への不安定さが増加するので、着座者の生理機構による小刻みな動きを促進することができる。
また、底面の周縁が丸く角取りされている場合は、揺動椅子を座布団や畳の上に置いて揺動させた時に底面の周縁がこれら座布団や畳を傷めることを抑制できる。あるいは、揺動椅子を他の椅子の座面に乗せて使用することもできるようになる。
【０００９】
更に、座部及び脚部の間に高さ調整手段が介在される場合は、着座者の体格や好みに合わせて座部を適切な高さに調整できるので、座り心地を高めることができる。例えば、揺動椅子を座布団やクッションの上で使用する場合、座部を通常より高めに設定しておくことにより脚部が座布団やクッションに沈み込んでも座部を適切な高さに位置させることができる。
また、高さ調整手段が、座部及び脚部に形成された深さの異なる複数の凹部と、凹部に挿入されて座部及び脚部を連結する支持棒と、を備える場合は、支持棒を挿入する凹部を変更することにより座部の高さを調整することができる。このため、簡易な構造で容易に高さを変更することができるので、製造コストの増加や高さ調整操作の煩雑化を抑制することができる。しかも、揺動椅子を分解できるようになるので、不使用時の収納や運搬時などに利便を図ることができる。
【００１０】
更に、支持棒が２本である場合は、座部と脚部との連結を強固にすることができる。特に回転方向への強度を高めることができる。
また、支持棒及び凹部の断面形状が扇形である場合は、広い円弧部で力を受けることができるので、荷重を分散して支持棒及び凹部の負荷を軽減することができる。これにより、長期間の使用による支持棒及び凹部の変形を防止して、揺動椅子の長寿命化を図ることができる。
更に、支持棒及び上記凹部の断面形状が円形である場合は、支持棒の製作や凹部の加工が容易になるので、製作コストを抑えることができる。
【００１１】
また、座部及び脚部が着脱可能であると共に、高さ調整手段が、複数の高さを異にした脚部を交換することによりなる場合は、脚部を交換するだけで高さを変更することができるので、高さ調整時の作業性を高めることができる。
更に、高さ調整手段が、座部側摺動部と、脚部側摺動部と、締結部と、からなる場合は、部品点数の増加を抑えることができる。
また、締結部が、座部側摺動部及び脚部側摺動部に形成された複数の透孔と、座部側摺動部の透孔及び脚部側摺動部の透孔を貫通して固定する貫通部材と、からなる場合は、締結を確実にすることができる。
更に、締結部が、座部側摺動部及び脚部側摺動部の一方に形成された異なる高さの底部を有する複数の溝と、座部側摺動部及び脚部側摺動部の他方に形成された異なる高さの複数の係合部と、からなる場合は、係合部を溝に係合させるだけで高さ調整を行うことができるので、容易に調整することができ作業性を高めることができる。
【００１２】
また、座部が折り畳み可能である場合は、揺動椅子の不使用時に小さく折り畳んで収容性や携帯性を高めることができる。
更に、脚部の直下に硬質の当て板を備える場合は、例えば揺動椅子を座布団やクッションの上で使用する際に、これら座布団やクッションへの沈み込みを抑制して揺動椅子の不安定性を確保することができる。
【考案を実施するための最良の形態】
【００１３】
本実施形態に係る揺動椅子は、座部と、脚部と、を備えている。
上記「座部」は、着座者が座るものである限り、その構造、大きさ、形状、材質などは特に問わない。構造としては、例えば、単一部材からなるものや心材の表面にクッション材を設けたもの等、既知のあるいは新規の座の構造を広く適用することができる。形状としては、例えば、板材の場合、円形、略Ｙ字型（例えば、図１等参照）、ハート型（例えば、図５等参照）等、各種のデザインを採用することができる。特に略Ｙ字型のように前部が細くなっている場合は、着座者は胡坐をかく等の動作を容易にすることができる。材質としては、例えば、単一部材からなる場合、木、合成樹脂、金属等、各種の材質を適宜選択して使用することができる。上記「座部」は折り畳み可能であるようにできる。
【００１４】
上記「脚部」は、座部の下方に着座者の膝下部を収容可能に座部を支持し、幅狭で前後方向に伸びた形状で座部の下方中央部に設けられると共に、その底面は、前部に形成された凸曲面部と、後部に形成された小曲率部と、を備えるものである限り、その構造、大きさ、形状、材質、数量などは特に問わない。上記「底面」は、周縁が丸く角取りされているようにできる。
ここで、本明細書中で「曲率が大きい」とは曲率半径が小さいことを意味し、小さい揺れ幅で僅かに揺動させるだけで大きな揺動角度を得ることができる状態を示し、着座者としては「傾斜し易い」及び「揺れ易い」と感じることを意味する。一方、「曲率が小さい」とは曲率半径が大きいことを意味し、大きい揺れ幅で大きく揺動させないと大きな揺動角度を得ることができない状態を示し、着座者としては「傾斜し難い」及び「揺れ難い」と感じることを意味する。
【００１５】
上記「凸曲面部」は、左右方向に揺動可能で且つ前後方向に揺動可能なものである限り、その構造や大きさ等は特に問わない。凸曲面部は、左右方向への曲率が前後方向への曲率と比較して大きいようにできる。上記「小曲率部」は、左右方向に揺動可能で且つ前後方向への曲率は凸曲面部より小さいものである限り、その構造や大きさ等は特に問わない。小曲率部は、前後方向に対して直線状であるようにできる。
上記「脚部」の直下には、硬質の当て板を備えるようにできる。
【００１６】
また、座部及び脚部の間には高さ調整手段を介在するようにできる。「高さ調整手段」は、座部の高さを調整可能である限り、その構造、大きさ、形状、材質、数量などは特に問わない。
上記「高さ調整手段」は、座部の裏面及び脚部の上面に形成された深さの異なる複数の凹部と、座部の凹部及び脚部の凹部に挿入されて座部及び脚部を連結する支持棒と、を備えたものとすることができる（例えば、図３、４等参照）。この場合、支持棒を挿入する凹部を変更することにより座部の高さを調整することができる。
上記「支持棒」は凹部に挿入されて座部及び脚部を連結するものである限り、その構造、大きさ、形状、材質、数量などは特に問わない。数量としては、例えば２本にすることができる。支持棒及び凹部の断面形状としては、円弧が前方または後方を向いた扇形にしたり（例えば、図２、３等参照）、あるいは円形（例えば、図５等参照）にすることができる。
【００１７】
上記「高さ調整手段」は、複数の高さを異にした脚部を座部に対して着脱して交換することによりなるものとできる。
上記「高さ調整手段」は、座部に一体形成された座部側摺動部と、脚部に一体形成された脚部側摺動部と、これらの摺動部を互いに固定する締結部と、からなるものとできる（例えば、図７等参照）。座部側摺動部と脚部側摺動部とは互いに摺動可能とする。
【００１８】
上記「締結部」は、各摺動部に形成された複数の透孔と、各摺動部の透孔を貫通して固定する貫通部材と、からなるものとできる（例えば、図９等参照）。貫通部材としては、ボルトやピン等とすることができる。
上記「締結部」は、各摺動部の一方に形成された異なる高さの底部を有する複数の溝と、各摺動部の他方に形成された溝に係合可能な係合部と、からなるものとできる（例えば、図１０等参照）。即ち、座部側摺動部に溝を形成すると共に脚部側摺動部に係合部を形成したものや、あるいは脚部側摺動部に溝を形成すると共に座部側摺動部に係合部を形成したものとすることができる。
【実施例】
【００１９】
以下、図面を用いて実施例により本考案を具体的に説明する。
（実施例１）
（１）実施例の構成
本実施例１に係る揺動椅子１は、図１〜図３に示すように、座部２と、脚部３と、高さ調整手段４と、を備えている。この揺動椅子１は、全て木材からなるものとしている。
【００２０】
座部２は、略Ｙ字形状の板材からなる座板５と、該座板５の裏面の中央に取り付けられた幅狭で前後方向に伸びた形状の支持部材６と、を備えている。座板５は前部が細くなる向きに設けられている。座板５の後端の中央部には、Ｕ字形状の切り欠き５ａが形成されている。
脚部３は、幅狭で前後方向に伸びた形状で、座部２の裏側中央部に設けられている。このため、着座者が正座する際は、両膝下部を脚部３の左右両側から挟むように間隔を狭めた無理のない状態で収容することができる。また、この脚部３の底面７は、前部に形成されると共に左右方向に揺動可能で且つ前後方向に揺動可能な凸曲面部８と、後部に形成されると共に左右方向に揺動可能で且つ前後方向への曲率は凸曲面部８より小さい小曲率部９と、を備えている。これにより、脚部３は床面に対して前方向及び左右方向に対して揺動可能になる。
【００２１】
凸曲面部８は、左右方向への曲率が前後方向への曲率と比較して大きくなるように設定されている。この凸曲面部８では脚部３は床面に対して１点で支持されるようになる。また、小曲率部９の前後方向への曲率は、図４に示すように、側方から見た際にほぼ直線に近いくらい小さいものとしている。更に、底面７の周縁は丸く角取りされている。
更に、図３に示すように、支持部材６の底面１６にも上述と同様の形状の凸曲面部１７及び小曲率部１８が同様の位置に形成されていると共に、周縁が丸く角取りされている。
【００２２】
高さ調整手段４は、座部２の支持部材６の底面１６に形成された深さの異なる複数の凹部１０，１１と、脚部３の上面に形成された深さの異なる複数の凹部１２，１３と、各凹部１０〜１３に挿入されて座部２及び脚部３を連結する支持棒１４，１５と、を備えている。そして、支持棒１４，１５を挿入する凹部１０〜１３を変更することにより座部２の高さを調整する。支持棒１４，１５は前後に２本設けられている。
【００２３】
ここで、支持棒１４，１５及び凹部１０〜１３の断面形状は、円弧が前方または後方を向いた扇形にしている。図２及び図３に示すように、前側の支持棒１４及び凹部１０，１２は円弧が前方を向いた扇形とし、後側の支持棒１５及び凹部１１，１３は円弧が後方を向いた扇形としている。また、図１（Ｂ）及び図４に示すように、座部２の凹部１０，１１は各支持棒１４，１５に対して４個ずつ形成されていて、各凹部１０，１１は一部重なって配置されている。前側の凹部１０は凸曲面部１７に形成されると共に、後側の凹部１１は小曲率部１８に形成されている。各４個ずつの凹部１０，１１はそれぞれ深さを異ならせていて、それぞれ前側の方が浅くなるように設定されている。一方、脚部３の凹部１２，１３は各支持棒１４，１５に対して２個ずつ形成されていて、それぞれ離れて配置されている。各凹部１２，１３はそれぞれ深さを異ならせていて、それぞれ前側の方が浅くなるように設定されている。
【００２４】
よって、座部２の凹部１０，１１はそれぞれ４種類の深さがあり、脚部３の凹部１２，１３はそれぞれ２種類の深さがあるので、支持棒１４，１５を挿入する凹部１０〜１３の選択により合計８種類の高さに調整することができる。そして、図４（Ａ）及び（Ｂ）に示すように、座部２の最も深い凹部１０，１１（最後部）と、脚部３の最も深い凹部１２，１３（後側）とに支持棒１４，１５を挿入した状態が最も座部２の高さが低く、図４（Ｃ）に示すように、座部２の最も浅い凹部１０，１１（最前部）と、脚部３の最も浅い凹部１２，１３（前側）とに支持棒１４，１５を挿入した状態が最も座部２の高さが高くなる。
【００２５】
（２）実施例の作用
上述した実施例を使用する手順について説明する。
着座者は、例えば膝を折り曲げて膝下部を座部２の下方に収容して正座する。この時、両膝下部は脚部３の左右両側から挟むように間隔を狭めた無理のない状態で収容することができる。
着座時は、脚部３の底面７は床面に対して前方及び左右方向に揺動可能であるので、着座者は揺動椅子１と共に揺動することができる。ここで、底面７の後部には小曲率部９が形成されているので、後方への揺動を抑えられる。また、凸曲面部８は、左右方向への曲率が前後方向への曲率と比較して大きいので、左右方向に大きく揺れ易い。
左右方向と前方へは常に揺動可能であるので、着座者は椅子の脚部と自己の両足とで３点支持しつつ生理機構に基づいて常に小刻みに動きながらバランスを取るようになる。また、正座から胡坐などに足を組み換える際には前後左右に大きく揺動するようにして行う。
尚、着座時に着座者の尾骨に相当する部位は座板５の後端の切り欠き５ａに収まる。
【００２６】
座部２の高さを調整する時は、座部２と脚部３とから支持棒１４，１５を引き抜いて、凹部１０〜１３を変更して差し替える。これにより座部２の高さが変更される。また、支持棒１４，１５及び脚部３を用いずに、支持部材６を座布団や床面等に直接接地させて使用することができる。あるいは、座布団やクッションの上で使用する際は、脚部３の底面７の直下に硬質の当て板を備えるようにしてもよい。
【００２７】
（３）実施例の効果
本実施例によれば、脚部３及び座部２の支持部材６が幅狭で中央に配置されているので、着座者は膝下部の間隔を狭めた無理のない姿勢で着座することができ、座り心地を向上させることができる。また、脚部３の底面７が凸曲面部８において床面に対して１点で支持されるので、揺動可能になる。これにより、着座者は生理機構によりバランスを取るために自然に腰部を動かすので、腰部の疲れを軽減することができる。特に、左右方向の小刻みな動きは腰部を楽にし、前後方向の揺れ幅の大きな動きは脚部を楽にする。しかも、座部２が前後左右に揺動することにより、着座者の足の組み換えを容易に行うことができるようになる。
【００２８】
また、底面７の後部には小曲率部９が設けられているので、着座者が後方に揺動してしまうことを抑制し安定した着座を確保して座り心地を向上することができると共に、左右方向への揺動を確保して腰部を小刻みに動かすことができる。また、凸曲面部８は、左右方向への曲率が前後方向への曲率と比較して大きいので、着座時の左右方向への不安定さが増加し、着座者の生理機構による小刻みな動きを促進することができる。
更に、底面７の周縁は丸く角取りされているので、揺動椅子１を座布団や畳の上に置いて揺動させた時に底面７の周縁がこれら座布団や畳を傷めることを抑制できる。よって、揺動椅子１の使用範囲を広げることができる。
尚、これら底面７の形状に関する効果は、同様の形状の底面１６を有する支持部材６を座布団や床面等に直接接地させて使用した場合にも得ることができる。
【００２９】
また、本実施例によれば、座部２の座板５は略Ｙ字形状の板材からなると共に座板５は前部が細くなる向きに設けられているので、着座者が足を組み換える際に大腿部が座板５に干渉することを抑制して組み換えを容易にすることができる。また、本実施例によれば、着座者の尾骨に相当する部位は座板５の後端の切り欠き５ａに収まるので、尾骨に相当する部位が座部２に当たって着座者が不快になることを防止できる。
更に、本実施例によれば、座布団やクッションの上で使用する場合に脚部３の直下に硬質の当て板を備えるようにできる。この場合は、これら座布団やクッションへの沈み込みを抑制して揺動椅子１の不安定性を確保することができる。あるいは、着座者の好みによっては、当て板を使用せずに、脚部３を意図的に座布団やクッションに沈み込ませて安定させて利用するようにしてもよい。
【００３０】
更に、本実施例によれば、高さ調整手段４を備えているので、着座者の体格に合わせて座部２の高さを適宜設定でき座り心地を向上させることができる。例えば、揺動椅子１を座布団やクッションの上で使用する場合、座部２を通常より高めに設定しておくことにより脚部３が座布団やクッションに沈み込んでも座部２を適切な高さに位置させることができる。
また、本実施例では、高さ調整手段４としては凹部１０〜１３と支持棒１４，１５だけからなる簡易な構造を採用しているので、コスト増加や変更操作の煩雑化を抑制することができる。しかも、揺動椅子１を分解できるようになるので、不使用時の収納や運搬時などに利便を図ることができる。
更に、本実施例によれば支持棒１４，１５が２本であるので、座部２と脚部３との連結を強固にすることができ、特に回転方向への強度を高めることができる。
【００３１】
また、本実施例によれば、支持棒１４，１５及び凹部１０〜１３の断面形状が扇形であるので、広い円弧部で力を受けることができ、荷重を分散して支持棒１４，１５及び凹部１０〜１３の負荷を軽減することができる。これにより、長期間の使用による支持棒１４，１５及び凹部１０〜１３の変形を防止して、揺動椅子１の長寿命化を図ることができる。特に、本実施例の揺動椅子１は木製であるので、断面扇形を採用することにより大きな効果を得ることができる。
更に、本実施例によれば、支持部材６の底面１６にも脚部と同様の凸曲面部１７及び小曲率部１８が形成されているので、支持棒１４，１５及び脚部３を用いずに支持部材６を座布団や床面等に直接接地させて使用することができる。このため、例えば、揺動椅子１を他の椅子の上に置いて使用しても必要以上に座面が高くなることを抑制できるで、使用感を損ねることなく使用することができる。
【００３２】
尚、本考案においては、上記実施例に限られず、目的、用途に応じて本考案の範囲内で種々変更した実施例とすることができる。即ち、上記実施例では、座板５の形状を略Ｙ字形状としたが、これに限定されず、例えば、図５に示すように、ハート型にしてもよい。あるいは、その他の形状であってもよく、デザインや目的に応じて適宜選択することができる。
また、上記実施例では、支持棒１４，１５及び凹部１０〜１３の断面形状を扇形にしたが、これに限定されず、例えば、図５に示すように、円形にしてもよい。この場合、支持棒１４，１５の製作や凹部１０〜１３の加工が容易になるので、製作コストを抑えることができる。尚、ここでの円形としては、真円〜楕円など、各種の円形を採用することができる。また、扇形や円形以外の形状、例えば多角形であってもよい。
【００３３】
更に、上記実施例では、支持棒１４，１５は２本であるようにしたが、これに限定されず、例えば、１本、あるいは３本以上にしてもよい。
また、上記実施例では、座部２の凹部１０，１１は各支持棒１４，１５に対して４個ずつ形成されていると共に脚部３の凹部１２，１３は各支持棒１４，１５に対して２個ずつ形成されるようにしたが、これに限定されず、他の個数であってもよい。
更に、上記実施例では、高さ調整手段４を採用したが、これに限定されず、例えば、高さ調整手段４を有さずに高さが固定されたものになるようにしてもよい。この場合、構造を更に簡素化することができる。
また、上記実施例では、揺動椅子１の全体を木製としたが、これに限定されず、例えば、合成樹脂製や金属製やその他の材質としてもよく、あるいは単一の材質にも限定されず、例えば、座板５は心材の周囲にクッション材を設けた構造としてもよい。
【００３４】
（実施例２）
（１）実施例の構成
本実施例２に係る揺動椅子１は、図６及び図７に示すように、座部２と、脚部３と、高さ調整手段４と、を備えている。この揺動椅子１は、全てアルミニウムからなるものとしている。尚、実施例１と同様の部材については、符号を同じくして詳細な説明を省略する。
座部２は、略ハート形状の１枚の板材からなる座板５と、該座板５の裏面に設けられると共に脚部が装着される脚部受け１９と、を備えている。脚部３は、床面に接する底部２０と、座部２に結合する結合部２１と、これら底部２０及び結合部２１を連結する柱部２２と、を備えている。脚部受け１９は、前後方向に伸びた２本のブラケットからなり、各ブラケットは座板５の中心線を挟んで前側が幅狭な間隔になるように配置されている。各ブラケットは、向き合った内側に脚部３の結合部２１を収容する溝２３を備えている。
【００３５】
脚部３の結合部２１は、前側が幅狭の略楔形の板状としている。この結合部２１が脚部受け１９のブラケットの溝２３に嵌まり込むことにより座部２と脚部３とが結合される。柱部２２は前後方向に伸びた板状で、座部２の裏側中央部に設けられている。柱部２２の中央部には軽量化のために透孔２２ａが形成されている。底部２０は、幅狭で前後方向に伸びた形状としている。このため、着座者が正座する際は、両膝下部を柱部２２及び底部２０の左右両側から挟むように間隔を狭めた無理のない状態で収容することができる。また、この底部２０の底面２４は、前部に形成されると共に左右方向に揺動可能で且つ前後方向に揺動可能な凸曲面部２５と、後部に形成されると共に左右方向に揺動可能で且つ前後方向への曲率は凸曲面部２５より小さい小曲率部２６と、を備えている。
【００３６】
凸曲面部２５は、左右方向への曲率が前後方向への曲率と比較して大きくなるように設定されている。この凸曲面部２５では脚部３は床面に対して１点で支持されるようになる。また、小曲率部２６は、前後方向に対して直線状であるように、前後を長手方向とする円柱面形状としている。更に、底面２４の周縁は丸く角取りされている。
本実施例２では、柱部２２の長さを異ならせた複数の脚部３を備えるようにしている。そして、高さ調整手段４は、これらの脚部３を交換することで構成されている。また、座部２の表側には適宜クッション等を戴置して使用してもよい。
【００３７】
（２）実施例の作用
上述した実施例で座部２の高さを調整する手順について説明する。
座部２の高さを調整する時は、座部２の脚部受け１９の後部から脚部３の結合部２１を後方に引き抜くように取り外す。そして、柱部２２の高さの異なる他の脚部３を用意し、その脚部３の結合部２１を脚部受け１９の後部から前方に向けて挿入して装着する。このように、脚部３を交換することにより座部２の高さを変更することができる。
【００３８】
（３）実施例の効果
本実施例によれば、小曲率部２６は、前後方向に対して直線状であるように、前後を長手方向とする円柱面形状としているので、着座者が後方に揺動してしまうことを抑制し安定した着座を確保して座り心地を向上することができると共に、左右方向への揺動を確保して腰部を小刻みに動かすことができる。
また、本実施例では、高さ調整手段４としては柱部２２の長さを異ならせた複数の脚部３を交換することとし、尚且つ脚部３の交換は座部２の脚部受け１９に脚部３の結合部２１を出し入れするだけであるので、簡易な作業で容易に座部２の高さを変更することができる。
また、短い脚部３を選択することにより、揺動椅子１を他の椅子の上に置いて使用しても必要以上に座面が高くなることを抑制できるで、使用感を損ねることなく使用することができる。
【００３９】
尚、本考案においては、上記実施例に限られず、目的、用途に応じて本考案の範囲内で種々変更した実施例とすることができる。即ち、上記実施例では、座板５は１枚の板材からなるものとしたが、これに限定されず、例えば、図８に示すように、座板５が複数枚に分割されていて蝶番２７により連結されて全体として折り畳み可能なものとしてもよい。この場合、座部２を折り畳んでコンパクトにすることができるので、収納性や携帯性を向上することができる。
【００４０】
また、上記実施例では、高さ調整手段４として柱部２２の長さを異ならせた複数の脚部３を交換するものとしたが、これに限定されず、例えば、高さ調整手段４が、座部２に一体形成された座部側摺動部２８と、脚部３に一体形成されると共に座部側摺動部２８に対して摺動可能な脚部側摺動部２９と、これら座部側摺動部２８及び脚部側摺動部２９を互いに固定する締結部３０と、からなるものとしてもよい。
【００４１】
具体的には、図９に示すように、座部側摺動部２８は座板５から下方に向けて鉛直に設けられた２枚の平行な板材とし、脚部側摺動部２９は底部２０から上方に向けて鉛直に設けられた１枚の板材とし、脚部側摺動部２９が座部側摺動部２８の間に摺動可能に支持されるものとする。そして、締結部３０としては、脚部側摺動部２９に形成された縦方向に２列に並んだ複数の透孔３１と、各列の透孔３１に対応して座部側摺動部２８に形成された２個の透孔３２と、これらの透孔３１，３２を貫通して固定する貫通部材３３からなるものとする。貫通部材３３としてはボルトやピンを使用することができる。この場合、締結を確実に行うことができるようになる。ここでは、脚部側摺動部２９は縦方向に２列に並んだ透孔３１を有するようにしたが、これに限定されず、１列あるいは３列以上であってもよい。それらの場合、座部側摺動部２８には各列に対応する透孔３２を形成するようにする。また、ここでは、脚部側摺動部２９は縦方向に２列に並んだ複数の透孔３１を有すると共に、座部側摺動部２８は２個の透孔３２を有するものとしたが、これに限定されず、座部側摺動部２８に縦方向に２列に並んだ透孔を設けると共に、脚部側摺動部２９に２個の透孔を設けるようにしてもよい。
【００４２】
また、締結部３０としては透孔３１，３２と貫通部材３３からなるものに限定されず、例えば、図１０に示すように、締結部３０は、脚部側摺動部２９に形成された異なる高さの底部を有する複数の縦溝３４（図中６箇所）、この縦溝３４に係合可能なように座部側摺動部２８に形成された異なる高さの複数の係合部３５（図中４箇所）と、からなるようにしてもよい。この場合、高さ調整の作業性を容易にすることができる。これにより、例えば、図１０に示すように、６箇所の縦溝３４と４箇所の係合部３５との組み合わせにより、３段階の高さ調整が可能である。また、この場合、係合部３５を、複数の透孔と、これらの透孔を貫通して固定し且つ着脱可能に設けられた複数の貫通部材（図示せず）と、からなるものすることができる。これにより、例えば、図１０に示すように、４箇所の係合部３５のうちの２箇所の係合部３５と、６箇所の縦溝３４のうちの２箇所の縦溝３４とを係合させるようにして、最上段側の２箇所の係合部３５と最下段側の２箇所の縦溝３４とを係合させた場合を最も低い高さとし、最下段側の２箇所の係合部３５と最上段側の２箇所の縦溝３４とを係合させた場合を最も高い高さとすることができる。その結果、７段階の高さ調整が可能となる。また、縦溝及び係合部の数は、上述の６箇所及び４箇所に限定されず、適宜決定することができる。更に、ここでは、脚部側摺動部２９に複数の縦溝３４を形成すると共に、座部側摺動部２８に係合部３５を形成したが、これに限定されず、座部側摺動部２８に複数の縦溝を形成すると共に、脚部側摺動部２９に係合部を形成するようにしてもよい。
更に、上記実施例では、座部側摺動部２８は座板５から下方に向けて鉛直に設けられた２枚の平行な板材からなるものとしたが、これに限定されず、図１１に示すように、脚部３の柱部２２の上部から下方に向けて設けられた２枚の平行な板材からなるものとしてもよい。この場合、脚部３と座部２を分解した際に座部２はほぼ平坦な板材になるので収容性を高めることができる。
【００４３】
また、上記実施例では、高さ調整手段４を採用したが、これに限定されず、例えば、高さ調整手段４を有さずに高さが固定されたものになるようにしてもよい。この場合、構造を更に簡素化することができる。
また、上記実施例では、揺動椅子１の全体をアルミニウム製としたが、これに限定されず、例えば、他の金属製や合成樹脂製やその他の材質としてもよく、あるいは単一の材質にも限定されず、例えば、座板５は心材の周囲にクッション材を設けた構造としてもよい。
【産業上の利用可能性】
【００４４】
いわゆる正座椅子として広く適用可能であり、特に、生理機構に基づいて揺動可能な揺動椅子として好適である。
【図面の簡単な説明】
【００４５】
【図１】本実施例に係る揺動椅子を示す図であり、（Ａ）は斜視図、（Ｂ）は中央を縦断面した斜視図である。
【図２】本実施例に係る揺動椅子を示す上方向から見た分解組立図である。
【図３】本実施例に係る揺動椅子を示す下方向から見た分解組立図である。
【図４】本実施例に係る揺動椅子を示す側面図であり、（Ａ）は分解組立図、（Ｂ）は座部が最も低い状態、（Ｃ）は座部が最も高い状態を示す。
【図５】他の実施例に係る揺動椅子を示す上方向から見た分解組立図である。
【図６】更に他の実施例に係る揺動椅子を示す上方向から見た斜視図である。
【図７】更に他の実施例に係る揺動椅子を示す下方向から見た図であり、（Ａ）は斜視図、（Ｂ）は分解組立図である。
【図８】他の実施例に掛かる座部を示す上方向から見た図であり、（Ａ）は広げた使用時、（Ｂ）は閉じた不使用時を示す。
【図９】他の実施例に係る高さ調整機構を示す図であり、（Ａ）は背面図、（Ｂ）は右側面図である。
【図１０】更に他の実施例に係る高さ調整機構を示す図であり、（Ａ）は背面図、（Ｂ）は右側面図である。
【図１１】更に他の実施例に係る高さ調整機構を示す背面図である。
【図１２】従来の揺動椅子を示す後方から見た斜視図である。
【符号の説明】
【００４６】
１；揺動椅子、２；座部、３；脚部、４；高さ調整手段、５；座板、５ａ；切り欠き、６；支持部材、７，１６，２４；底面、８，１７，２５，；凸曲面部、９，１８，２６；小曲率部、１０；支持部材の前側の凹部、１１；支持部材の後側の凹部、１２；脚部の前側の凹部、１３；脚部の後側の凹部、１４；前側の支持棒、１５；後側の支持棒、１９；脚部受け、２０；底部、２１；結合部、２２；柱部、２２ａ；透孔、２３；溝、２７；蝶番、２８；座部側摺動部、２９；脚部側摺動部、３０；締結部、３１；脚部摺動部側の透孔、３２；座部摺動部側の透孔、３３；貫通部材、３４；縦溝、３５；係合部、１００；正座椅子、１０１；座部、１０２；脚部。
【図１】
0003147198.tif 000003
【図２】
0003147198.tif 000004
【図３】
0003147198.tif 000005
【図４】
0003147198.tif 000006
【図５】
0003147198.tif 000007
【図６】
0003147198.tif 000008
【図７】
0003147198.tif 000009
【図８】
0003147198.tif 000010
【図９】
0003147198.tif 000011
【図１０】
0003147198.tif 000012
【図１１】
0003147198.tif 000013
【図１２】
0003147198.tif 000014